(57)【要約】【課題】制御情報に対する誤り検出を正常に実行可能としつつ、送信すべきユーザデータが存在しない期間における消費電力を削減する。【解決手段】無線通信端末は、無線基地局に送信すべきユーザデータが存在しないと判定された場合、ｈｅａｄｅｒＦｏｒｍａｔに０を格納し、パディングビット（オールゼロ）及びａｃｋからＣＲＣ符号を算出し、ユーザデータを送信すべき期間においてパワーアンプをオフする。無線基地局は、ｈｅａｄｅｒＦｏｒｍａｔに０が格納されている場合、ＣＲＣ符号を用いて、パディングビット（オールゼロ）及びａｃｋに対する誤り検出を実行する。【選択図】図１１
2008245130.tif 000002
【特許請求の範囲】
【請求項１】
ユーザデータが格納される領域と、通信の制御に使用される制御情報が格納される領域とを有するパケットを用いる無線通信システムであって、
無線信号を前記パケット毎に送信する送信装置と、送信された前記無線信号を受信し、受信した前記無線信号から前記パケットを取得する受信装置とを備え、
前記送信装置は、
前記パケットに格納すべきユーザデータが存在するか否かを判定するユーザデータ判定部と、
前記格納すべきユーザデータが存在しないと判定された場合、前記格納すべきユーザデータが存在しないことを示す空データ情報を前記パケットに格納するとともに、前記ユーザデータが格納される領域を所定のデータで埋める空データ情報格納部と、
前記格納すべきユーザデータが存在しないと判定された場合、前記所定のデータ及び前記制御情報から算出される誤り検出情報を前記パケットに格納する誤り検出情報格納部と、
前記格納すべきユーザデータが存在しないと判定された場合、前記ユーザデータを格納する領域に対応する期間において、前記無線信号の送信電力を減少させる送信電力減少部とを備え、
前記受信装置は、
前記パケットに前記空データ情報が格納されているか否かを判定する空データ情報判定部と、
前記パケットに前記空データ情報が格納されていると判定された場合、前記所定のデータと同一のビット列であるダミーデータを生成するダミーデータ生成部と、
前記パケットに前記空データ情報が格納されていると判定された場合、前記誤り検出情報を用いて、前記制御情報及び前記ダミーデータに対して誤り検出を実行する誤り検出実行部と
を備える無線通信システム。
【請求項２】
前記制御情報は、自動再送制御に使用される情報である請求項１に記載の無線通信システム。
【請求項３】
前記送信装置は、前記無線信号を増幅する増幅器をさらに備え、
前記送信電力減少部は、前記ユーザデータを格納する領域に対応する期間において、前記増幅器への電力の供給を停止する請求項１に記載の無線通信システム。
【請求項４】
前記送信装置は、電源として電池を用いる無線通信端末に設けられ、
前記受信装置は、無線基地局に設けられる請求項１〜３のいずれか１項に記載の無線通信システム。
【請求項５】
ユーザデータが格納される領域と、通信の制御に使用される制御情報が格納される領域とを有するパケット毎に、無線信号を受信装置に送信する送信装置であって、
前記パケットに格納すべきユーザデータが存在するか否かを判定するユーザデータ判定部と、
前記格納すべきユーザデータが存在しないと判定された場合、前記格納すべきユーザデータが存在しないことを示す空データ情報をパケットに格納するとともに、前記ユーザデータが格納される領域を所定のデータで埋める情報格納部と、
前記格納すべきユーザデータが存在しないと判定された場合、前記所定のデータ及び前記制御情報から算出される誤り検出情報を前記パケットに格納する誤り検出情報格納部と、
前記格納すべきユーザデータが存在しないと判定された場合、前記ユーザデータを格納する領域に対応する期間において、前記無線信号の送信電力を減少させる送信電力減少部と
を備える送信装置。
【請求項６】
ユーザデータが格納される領域と、通信の制御に使用される制御情報が格納される領域とを有するパケットを送信装置から取得する受信装置であって、
前記送信装置において前記パケットに格納すべきユーザデータが存在しないことを示す空データ情報が、前記パケットに格納されているか否かを判定する空データ情報判定部と、
前記空データ情報が前記パケットに格納されていると判定された場合、所定のビット列であるダミーデータを生成するダミーデータ生成部と、
前記パケットに前記空データ情報が格納されていると判定された場合、前記パケットに格納されている誤り検出情報を用いて、前記制御情報及び前記ダミーデータに対して誤り検出を実行する誤り検出実行部と
を備える受信装置。
【請求項７】
ユーザデータが格納される領域と、通信の制御に使用される制御情報が格納される領域とを有するパケット毎に無線信号を送信する送信装置と、送信された前記無線信号を受信し、受信した前記無線信号から前記パケットを取得する受信装置とを用いた無線通信方法であって、
前記送信装置が、前記パケットに格納すべきユーザデータが存在するか否かを判定するステップと、
前記送信装置が、前記格納すべきユーザデータが存在しないと判定された場合、前記格納すべきユーザデータが存在しないことを示す空データ情報を前記パケットに格納するとともに、前記ユーザデータが格納される領域を所定のデータで埋めるステップと、
前記送信装置が、前記格納すべきユーザデータが存在しないと判定された場合、前記所定のデータ及び前記制御情報から算出される誤り検出情報を前記パケットに格納するステップと、
前記送信装置が、前記格納すべきユーザデータが存在しないと判定された場合、前記ユーザデータを格納する領域に対応する期間において、前記無線信号の送信電力を減少させるステップと、
前記受信装置が、前記パケットに前記空データ情報が格納されているか否かを判定するステップと、
前記受信装置が、前記パケットに前記空データ情報が格納されていると判定された場合、前記所定のデータと同一のビット列であるダミーデータを生成するステップと、
前記受信装置が、前記パケットに前記空データ情報が格納されていると判定された場合、前記誤り検出情報を用いて、前記制御情報及び前記ダミーデータに対して誤り検出を実行するステップと
を備える無線通信方法。
【発明の詳細な説明】
【技術分野】
【０００１】
本発明は、ユーザデータが格納される領域と、通信の制御に使用される制御情報が格納される領域とを有するパケットを用いる無線通信システム、当該無線通信システムにおける送信装置、受信装置及び無線通信方法に関する。
【背景技術】
【０００２】
無線通信システムにおいては、無線伝搬路の特性が変動し易く、受信装置が受信するデータが、送信装置が送信したデータと一致しないこと（以下、「誤り」）が頻繁に発生する。このような無線通信システムでは、受信装置において誤りを検出するのが一般的である。
【０００３】
具体的には、送信装置は、送信すべきユーザデータに対して所定の演算処理を施し、当該演算処理の結果を誤り検出情報として当該ユーザデータと共に送信する。受信装置は、ユーザデータ及び誤り検出情報に対して所定の演算処理を実行し、当該演算処理の結果が予め定められた条件を満たすか否かに応じて誤りを検出する。
【０００４】
さらに、自動再送制御が適用される無線通信システムでは、受信装置は、上述した誤り検出によって誤りを検出すると、誤りが検出されたことを送信装置に通知する。送信装置は、誤りが検出されたユーザデータを再送する。
【０００５】
自動再送制御を実現するため、ユーザデータの受信状況を示す確認応答（ａｃｋ）などの制御情報が、送信装置及び受信装置間で伝送される。制御情報についても受信装置において誤りを検出する必要があるため、送信装置は、ユーザデータ及び制御情報から１つの誤り検出情報を算出する。
【０００６】
また、電源として電池を用いる可搬型の無線通信端末においては、無線通信端末の送信回路や受信回路の消費電力を削減することが望ましい。受信回路の消費電力を削減する技術としては、間欠受信が知られている（例えば、特許文献１参照）。
【０００７】
間欠受信では、無線通信端末が、待ち受け時において定期的に無線基地局と通信し、無線基地局と通信しない期間では受信回路への電力供給を停止する。
【特許文献１】特表２００５−５２６４１５号公報（第３頁）
【発明の開示】
【発明が解決しようとする課題】
【０００８】
しかしながら、上述した間欠受信では、通信実行中における無線通信端末の消費電力を削減することができない。通信実行中における無線通信端末の消費電力を削減するためには、次の手法が考えられる。
【０００９】
具体的には、無線通信端末は、無線基地局に送信すべきユーザデータが存在しない場合、制御情報及び誤り検出情報を送信する期間においては送信回路への電力供給を維持し、ユーザデータを送信する期間において送信回路への電力供給を停止する。これにより、制御情報を無線基地局に伝達可能としつつ、無線通信端末の消費電力を削減することができる。
【００１０】
しかしながら、このような手法では、無線基地局は、ユーザデータを受信すべき期間において無線通信端末からの無線信号が受信されないため、当該期間において各ビットの値（“０”又は“１”）が不定となる。誤り検出情報は、ユーザデータ及び制御情報からまとめて算出されるため、無線基地局が当該誤り検出情報を用いて制御情報及びユーザデータに対して誤り検出を実行すると、誤りが検出されることになる。この結果、制御情報に誤りが発生していない場合であっても、誤りが検出されることになり、制御情報に対する誤り検出が正常に実行できなくなるという問題がある。
【００１１】
上記問題点に鑑み、本発明は、制御情報に対する誤り検出を正常に実行可能としつつ、送信すべきユーザデータが存在しない期間における消費電力を削減することができる無線通信システム、送信装置、受信装置及び無線通信方法を提供することを目的とする。
【課題を解決するための手段】
【００１２】
上記目的を達成するために、本発明の第１の特徴は、ユーザデータが格納される領域と、通信の制御に使用される制御情報が格納される領域とを有するパケット（情報シンボル期間）を用いる無線通信システムであって、無線信号を前記パケット毎に送信する送信装置（無線通信端末１００）と、送信された前記無線信号を受信し、受信した前記無線信号から前記パケットを取得する受信装置（無線基地局２００）とを備え、前記送信装置は、前記パケットに格納すべきユーザデータが存在するか否かを判定するユーザデータ判定部（パケット生成部１５７）と、前記格納すべきユーザデータが存在しないと判定された場合、前記格納すべきユーザデータが存在しないことを示す空データ情報（ｈｅａｄｅｒＦｏｒｍａｔ＝０）を前記パケットに格納するとともに、前記ユーザデータが格納される領域を所定のデータ（オールゼロ）で埋める空データ情報格納部（パケット生成部１５７）と、前記格納すべきユーザデータが存在しないと判定された場合、前記所定のデータ及び前記制御情報から算出される１つの誤り検出情報（ＣＲＣ符号）を前記パケットに格納する誤り検出情報格納部（ＣＲＣ計算部１５８）と、前記格納すべきユーザデータが存在しないと判定された場合、前記ユーザデータを格納する領域に対応する期間において、前記無線信号の送信電力を減少させる送信電力減少部（タイミングプロセッサ１３３）とを備え、前記受信装置は、前記パケットに前記空データ情報が格納されているか否かを判定する空データ情報判定部（フォーマット検査部２５９）と、前記パケットに前記空データ情報が格納されていると判定された場合、前記所定のデータと同一のビット列であるダミーデータ（オールゼロ）を生成するダミーデータ生成部（フォーマット補完部２６０）と、前記パケットに前記空データ情報が格納されていると判定された場合、前記誤り検出情報を用いて、前記制御情報及び前記ダミーデータに対して誤り検出を実行する誤り検出実行部（ＣＲＣ計算部１５２）とを備えることを要旨とする。
【００１３】
このような特徴によれば、送信装置は、受信装置に送信すべきユーザデータが存在しないと判定された場合、ユーザデータを送信すべき期間において送信電力を減少させるので、ユーザデータを送信すべき期間における消費電力が削減される。
【００１４】
また、送信装置は、受信装置に送信すべきユーザデータが存在しない場合、所定のデータ及び制御情報から誤り検出情報を算出する。受信装置では、空データ情報を受信した場合、所定のデータと同一のビット列であるダミーデータを生成する。受信装置は、送信装置から受信した誤り検出情報を用いて、送信装置から受信した制御情報、及び生成されたダミーデータに対して誤り検出を実行する。
【００１５】
したがって、誤り検出情報が算出されるデータ（所定のデータ）と、誤り検出が実行されるデータ（ダミーデータ）とは等しくなる。このため、実質的に制御情報についてのみ誤り検出を行うことができるので、ユーザデータを送信すべき期間において送信電力を減少させる場合であっても、制御情報に対する誤り検出を正常に実行可能となる。
【００１６】
本発明の第２の特徴は、本発明の第１の特徴に係り、前記制御情報は、自動再送制御（ＡＲＱ）に使用される情報（ａｃｋ）であることを要旨とする。
【００１７】
本発明の第３の特徴は、本発明の第１の特徴に係り、前記送信装置は、前記無線信号（ＲＦ信号）を増幅する増幅器（パワーアンプ１２９）をさらに備え、前記送信電力減少部は、前記ユーザデータを格納する領域に対応する期間において、前記増幅器への電力の供給を停止することを要旨とする。
【００１８】
本発明の第４の特徴は、本発明の第１〜第３のいずれかの特徴に係り、前記送信装置は、電源として電池（電池１８１）を用いる無線通信端末（無線通信端末１００）に設けられ、前記受信装置は、無線基地局（無線基地局２００）に設けられることを要旨とする。
【００１９】
本発明の第５の特徴は、ユーザデータが格納される領域と、通信の制御に使用される制御情報が格納される領域とを有するパケット毎に、無線信号を受信装置に送信する送信装置であって、前記パケットに格納すべきユーザデータが存在するか否かを判定するユーザデータ判定部と、前記格納すべきユーザデータが存在しないと判定された場合、前記格納すべきユーザデータが存在しないことを示す空データ情報をパケットに格納するとともに、前記ユーザデータが格納される領域を所定のデータで埋める情報格納部と、前記格納すべきユーザデータが存在しないと判定された場合、前記所定のデータ及び前記制御情報から算出される１つの誤り検出情報を前記パケットに格納する誤り検出情報格納部と、前記格納すべきユーザデータが存在しないと判定された場合、前記ユーザデータを格納する領域に対応する期間において、前記無線信号の送信電力を減少させる送信電力減少部とを備えることを要旨とする。
【００２０】
本発明の第６の特徴は、ユーザデータが格納される領域と、通信の制御に使用される制御情報が格納される領域とを有するパケットを送信装置から取得する受信装置であって、前記送信装置において前記パケットに格納すべきユーザデータが存在しないことを示す空データ情報が、前記パケットに格納されているか否かを判定する空データ情報判定部と、前記空データ情報が前記パケットに格納されていると判定された場合、所定のビット列であるダミーデータを生成するダミーデータ生成部と、前記パケットに前記空データ情報が格納されていると判定された場合、前記パケットに格納されている誤り検出情報を用いて、前記制御情報及び前記ダミーデータに対して誤り検出を実行する誤り検出実行部とを備えることを要旨とする。
【００２１】
本発明の第７の特徴は、ユーザデータが格納される領域と、通信の制御に使用される制御情報が格納される領域とを有するパケット毎に無線信号を送信する送信装置と、送信された前記無線信号を受信し、受信した前記無線信号から前記パケットを取得する受信装置とを用いた無線通信方法であって、前記送信装置が、前記パケットに格納すべきユーザデータが存在するか否かを判定するステップ（ステップＳ１０１）と、前記送信装置が、前記格納すべきユーザデータが存在しないと判定された場合、前記格納すべきユーザデータが存在しないことを示す空データ情報を前記パケットに格納するとともに、前記ユーザデータが格納される領域を所定のデータで埋めるステップ（ステップＳ１０６、ステップＳ１０８）と、前記送信装置が、前記格納すべきユーザデータが存在しないと判定された場合、前記所定のデータ及び前記制御情報から算出される１つの誤り検出情報を前記パケットに格納するステップ（ステップＳ１１０）と、前記送信装置が、前記格納すべきユーザデータが存在しないと判定された場合、前記ユーザデータを格納する領域に対応する期間において、前記無線信号の送信電力を減少させるステップ（ステップＳ１１５）と、前記受信装置が、前記パケットに前記空データ情報が格納されているか否かを判定するステップ（ステップＳ２０６）と、前記受信装置が、前記パケットに前記空データ情報が格納されていると判定された場合、前記所定のデータと同一のビット列であるダミーデータを生成するステップ（ステップＳ２０７）と、前記受信装置が、前記パケットに前記空データ情報が格納されていると判定された場合、前記誤り検出情報を用いて、前記制御情報及び前記ダミーデータに対して誤り検出を実行するステップ（ステップＳ２０８）とを備えることを要旨とする。
【発明の効果】
【００２２】
本発明によれば、制御情報に対する誤り検出を正常に実行可能としつつ、送信すべきユーザデータが存在しない期間における消費電力を削減することができる無線通信システム、送信装置、受信装置及び無線通信方法が提供される。
【発明を実施するための最良の形態】
【００２３】
次に、図面を参照して、本発明の実施形態を説明する。以下の実施形態における図面の記載において、同一又は類似の部分には同一又は類似の符号を付している。
【００２４】
以下においては、（１）無線通信システムの概略構成、（２）通信フレームの構成、（３）アップリンクスロット構成、（４）パケットの構成、（５）ダウンリンクスロット構成、（６）無線通信端末の構成、（７）パワーアンプ制御動作、（８）無線基地局の構成、（９）フォーマット補完動作、（１０）無線通信システムの動作、（１１）比較例、（１２）作用・効果、の順に説明する。
【００２５】
（１） 無線通信システムの概略構成
まず、本実施形態に係る無線通信システムの概略構成について説明する。図１は、本実施形態に係る無線通信システムの概略構成図である。
【００２６】
図１に示すように、無線通信システムは、無線通信端末１００及び無線基地局２００を備える。本実施形態では、無線通信端末１００及び無線基地局２００は、時分割多元接続−時分割複信（ＴＤＭＡ−ＴＤＤ）方式を用いた無線通信を実行する。
【００２７】
具体的には、無線通信端末１００及び無線基地局２００は、ｉＢｕｒｓｔ（登録商標）規格に基づく無線通信を実行する（ｉＢｕｒｓｔ規格については、“High Capacity-Spatial Division Multiple Access (HC-SDMA)”，WTSC - 2005 - 032，ＡＴＩＳ／ＡＮＳＩを参照）。
【００２８】
本実施形態に係る無線通信システムでは、誤り検出として巡回冗長検査（ＣＲＣ）が適用されるとともに、当該誤り検出の結果に応じた自動再送制御（ＡＲＱ）が適用される。
【００２９】
なお、本実施形態では、アップリンクＵＬの通信において、無線通信端末１００の消費電力を削減可能な構成について主に説明する。したがって、ダウンリンクＤＬの通信については説明を簡略化する。
【００３０】
（２） 通信フレームの構成
図２は、図１に示した無線通信システムで用いられる通信フレームの構成を示す図である。
【００３１】
図２に示すように、通信フレームは、論理的に区切られ、アップリンクＵＬ及びダウンリンクＤＬそれぞれ３個ずつのＴＤＭＡ−ＴＤＤスロットを構成する。
【００３２】
アップリンクスロット０とダウンリンクスロット０は、対となって１つの用途（端末）のために使用される。同様に、アップリンクスロット１とダウンリンクスロット１は対になり、アップリンクスロット２とダウンリンクスロット２は対になる。
【００３３】
なお、ｉＢｕｒｓｔシステムの最小の構成では、８個の周波数帯域を物理チャネルとして用いる。したがって、無線通信端末１００から見た場合、８物理チャネル×３スロット＝２４個の論理チャネルを認識することになる。
【００３４】
（３） アップリンクスロット構成
次に、図２に示したアップリンクスロットの構成について説明する。本実施形態では、アップリンクスロットにおいて２つのフォーマット（フォーマット１及びフォーマット２）が用いられる。以下、（３．１）フォーマット１、（３．２）フォーマット２、の順に説明する。
【００３５】
（３．１） フォーマット１
図３は、アップリンクスロットのフォーマット１を示す図である。フォーマット１は、無線通信端末１００から無線基地局２００へ送信すべきユーザデータが存在する場合に用いられる。
【００３６】
図３に示すように、フォーマット１は、２つのトレーニングシーケンス期間、及び情報シンボル期間を有する。
【００３７】
トレーニングシーケンス期間は、無線通信端末１００がトレーニングシーケンスを無線基地局２００に送信する期間である。トレーニングシーケンスは、無線基地局２００によって振幅や位相の情報が予め記憶されている既知信号であり、無線基地局２００において情報シンボル期間の振幅や位相を訂正するために用いられる。
【００３８】
情報シンボル期間は、無線通信端末１００が情報シンボルを無線基地局２００に送信する期間である。情報シンボルは、ユーザデータ、再送制御情報及びＣＲＣ符号などから生成されるシンボルである。以下においては、情報シンボル期間における情報シンボル全体を、適宜「パケット」と呼ぶ。  
【００３９】
（３．２） フォーマット２
図４は、アップリンクスロットのフォーマット２を示す図である。フォーマット２は、無線通信端末１００から無線基地局２００へ送信すべきユーザデータが存在しない場合に用いられる。
【００４０】
図４に示すように、フォーマット２は、情報シンボル期間において、無信号期間（Intra burst Guard Time）を有する点で、フォーマット１とは異なっている。その他の構成については、フォーマット１と同様である。
【００４１】
無信号期間（Intra burst Guard Time）は、パケットにおいて、ユーザデータを格納するフィールドに対応する期間に設けられている。
【００４２】
（４） パケットの構成
次に、図３及び図４に示したパケットの構成について説明する。以下、（４．１）フォーマット１のパケット構成、（４．２）フォーマット２のパケット構成、（４．３）フォーマット１及びフォーマット２のパケット構成の比較、の順に説明する。
【００４３】
（４．１） フォーマット１
図５は、図３に示したフォーマット１におけるパケット構成を示す図である。なお、フォーマット１及びフォーマット２のいずれにおいても、パケットの全体長は８４ビット固定である。
【００４４】
図５に示すように、フォーマット１におけるパケットは、ｈｅａｄｅｒＦｏｒｍａｔフィールド、確認応答（ａｃｋ）フィールド、シーケンス番号（ｓｅｑＮｕｍ）フィールド、ユーザデータフィールド及びＣＲＣフィールドを有する。
【００４５】
ｈｅａｄｅＲＦｏｒｍａｔフィールドは、フォーマット１又は２を識別するためのフィールドである。
【００４６】
ａｃｋフィールド及びｓｅｑＮｕｍフィールドには、ＡＲＱに使用される再送制御情報が格納される。具体的には、ａｃｋフィールドには、既に受信を完了しているパケットのうち、欠落無く連続している最新のシーケンス番号のＬＳＢ１２ビットが格納される。ｓｅｑＮｕｍフィールドには、当該パケットのシーケンス番号全体が格納される。
【００４７】
ユーザデータフィールドには、５オクテットまでのユーザデータが格納される。具体的には、送信すべきユーザデータが６７ビット目を基準に後続データのＬＳＢから並べられ、空いたビットはパディングビットで埋められる。パディングビットは、データの先頭を示すためのビット列であり、最初に現れる１の次が先頭データのＭＳＢとなる。
【００４８】
ＣＲＣフィールドには、ＣＲＣ符号が格納される。ＣＲＣ符号は、パケットの０ビット目から６７ビット目までのビット列に、４ビット長の０からなるビット列を付け加えることで７２ビット長に拡張したビット列に対して、１６ビットＣＲＣ演算を実行して得られる。
【００４９】
（４．２） フォーマット２
図６は、図４に示したフォーマット２におけるパケット構成を示す図である。
【００５０】
図６に示すように、フォーマット２におけるパケットは、ｈｅａｄｅｒＦｏｒｍａｔフィールド、ａｃｋフィールド及びＣＲＣフィールドを有する。すなわち、フォーマット２におけるパケットは、ｓｅｑＮｕｍフィールド及びユーザデータフィールドを有していない点で、図５とは異なっている。
【００５１】
具体的には、フォーマット２におけるパケットでは、送信すべきユーザデータが存在しない。このため、ｓｅｑＮｕｍフィールドが存在せず、１３ビット目から６７ビット目までが０で埋められる。
【００５２】
ＣＲＣフィールドには、０ビット目から１２ビット目までのビット列に、５９ビット長の０からなるビット列を付け加えることで７２ビット長に拡張したビット列に対して、１６ビットＣＲＣ演算を実行して得られた値が格納される。
【００５３】
（４．３） フォーマット１及びフォーマット２のパケット構成の比較
図７は、図５及び図６に示した各パケット構成を比較した図である。
【００５４】
図７に示すように、フォーマット１においては、ｈｅａｄｅｒＦｏｒｍａｔフィールドに１が格納される。一方、フォーマット２においては、ｈｅａｄｅｒＦｏｒｍａｔフィールドに０が格納される。
【００５５】
また、フォーマット１の場合にはｓｅｑＮｕｍフィールドが存在するが、フォーマット２の場合にはｓｅｑＮｕｍフィールドが存在しない。
【００５６】
（５） ダウンリンクスロット構成
次に、図２に示したダウンリンクスロットの構成について簡単に説明する。図８は、ダウンリンクスロットのフォーマットを示す図である。
【００５７】
図８に示すように、ダウンリンクスロットは、２つのトレーニングシーケンス期間、及び情報シンボル期間を有する。
【００５８】
トレーニングシーケンス期間は、無線基地局２００がトレーニングシーケンスを無線通信端末１００に送信する期間である。情報シンボル期間は、無線基地局２００が情報シンボルを無線通信端末１００に送信する期間である。
【００５９】
（６） 無線通信端末の構成
次に、無線通信端末１００の構成について説明する。図９は、無線通信端末１００の構成を示す機能ブロック図である。
【００６０】
図９に示すように、無線通信端末１００は、アンテナ１１０、高周波部（以下、「ＲＦ部」）１２０、制御部１５０、電池１８１及びレギュレータ１８２，１８３を備える。
【００６１】
電池１８１は、無線通信端末１００の電源として用いられる。レギュレータ１８２は、電池１８１からの供給電圧の電圧値を変換し、変換後の供給電圧を制御部１５０に供給する。レギュレータ１８３は、電池１８１からの供給電圧の電圧値を変換し、変換後の供給電圧をＲＦ部１２０に供給する。
【００６２】
以下、（６．１）ＲＦ部の詳細構成、（６．２）制御部の詳細構成の順に説明する。
【００６３】
（６．１） ＲＦ部の詳細構成
ＲＦ部１２０は、レギュレータ１８３によって供給される電圧によって動作する。なお、ＲＦ部１２０の大部分はアナログ回路として構成されるため、デジタル回路として構成される制御部１５０よりも消費電力が大きい。
【００６４】
ＲＦ部１２０は、サーキュレータ１２１、ローノイズアンプ（以下、「ＬＮＡ」）１２２、ミキサ１２３，１２４、アナログ・デジタル変換器（以下、「ＡＤＣ」）１２５、デジタル・アナログ変換器（以下、「ＤＡＣ」）１２６、ミキサ１２７，１２８、パワーアンプ１２９、電圧制御型温度補償水晶発振器（以下、「ＶＣＴＣＸＯ」）１３０、高周波位相同期化ループ（以下、「ＲＦ ＰＬＬ」）１３１、中間周波位相同期化ループ（以下、「ＩＦ ＰＬＬ」）１３２、及びタイミングプロセッサ１３３を備える。
【００６５】
サーキュレータ１２１は、ＲＦ信号の送信と受信とを切り替える。
【００６６】
ＬＮＡ１２２、ミキサ１２３、ミキサ１２４及びＡＤＣ１２５は、受信したＲＦ信号をベースバンド信号に変換する。
【００６７】
具体的には、ＬＮＡ１２２は、アンテナ１１０からサーキュレータ１２１を介して入力されるＲＦ信号を増幅する。
【００６８】
ミキサ１２３は、ＬＮＡ１２２によって増幅されたＲＦ信号と、ＲＦ ＰＬＬ１３１によって生成されるローカル信号とを混合することで、ＲＦ信号をＩＦ信号に変換する。
【００６９】
ミキサ１２４は、ミキサ１２３からのＩＦ信号と、ＩＦ ＰＬＬ１３２によって生成されるローカル信号とを混合することで、ミキサ１２３からのＩＦ信号を低周波信号に変換する。
【００７０】
ＡＤＣ１２５は、ミキサ１２４からの低周波信号をデジタル信号に変換することで、ベースバンド信号を生成する。
【００７１】
一方、ＤＡＣ１２６、ミキサ１２７、ミキサ１２８及びパワーアンプ１２９は、ベースバンド信号をＲＦ信号に変換する。
【００７２】
ＤＡＣ１２６は、制御部１５０からのベースバンド信号をアナログ信号に変換する。
【００７３】
ミキサ１２７は、ＤＡＣ１２６からのアナログ信号と、ＩＦ ＰＬＬ１３２によって生成されるローカル信号とを混合することで、ＩＦ信号を生成する。
【００７４】
ミキサ１２８は、ミキサ１２７からのＩＦ信号と、ＲＦ ＰＬＬ１３１によって生成されるローカル信号とを混合することで、ＩＦ信号をＲＦ信号に変換する。
【００７５】
パワーアンプ１２９は、ＲＦ信号を増幅すると共に、増幅したＲＦ信号を、サーキュレータ１２１を介してアンテナ１１０から送出する。
【００７６】
タイミングプロセッサ１３３は、ＬＮＡ１２２及びパワーアンプ１２９の動作タイミングを制御する。
【００７７】
なお、ＶＣＴＣＸＯ１３０は、ＲＦ ＰＬＬ１３１及びＩＦ ＰＬＬ１３２の発振源であり、所定の周波数で発振する。
【００７８】
（６．２） 制御部の詳細構成
制御部１５０は、ベースバンドプロセッサ１５１、ＣＲＣ計算部１５２、パケット解析部１５３、上位層／Ｌ２部１５４、Ｌ２バッファ管理部１５５、シーケンス番号管理部１５６、パケット生成部１５７及びＣＲＣ計算部１５８を備える。
【００７９】
ベースバンドプロセッサ１５１は、受信動作時において、ＡＤＣ１２５からのベースバンド信号をデジタル復調することで、ベースバンド信号をパケットに変換する。ベースバンドプロセッサ１５１は、送信動作時において、パケットにトレーニングシーケンスを付与すると共に、送信に適合したデジタル変調を実行することで、ベースバンド信号を生成する。なお、ベースバンドプロセッサ１５１は、受信信号に付与されているトレーニングシーケンスを元に、受信信号全体の等化を行う。
【００８０】
ＣＲＣ計算部１５２は、受信パケットのＣＲＣを計算し、計算したＣＲＣとＣＲＣフィールド内のＣＲＣ符号を比較する。ＣＲＣが一致しない場合、ＣＲＣ計算部１５２は、当該パケットを破棄して、ＣＲＣが一致しない旨をパケット解析部１５３に通知する。一方、ＣＲＣが一致する場合、ＣＲＣ計算部１５２は、受信パケットをパケット解析部１５３に転送する。
【００８１】
パケット解析部１５３は、受信パケットに含まれるユーザデータ、ａｃｋ及びｓｅｑＮｕｍをシーケンス番号管理部１５６に送信する。
【００８２】
上位層／Ｌ２部１５４は、ユーザデータを生成する。Ｌ２バッファ管理部１５５は、上位層／Ｌ２部１５４によって生成されたユーザデータを一旦蓄積する。
【００８３】
シーケンス番号管理部１４６は、パケットに含まれるａｃｋを管理し、送信すべきａｃｋを決定する。シーケンス番号管理部１４６は、送信すべきユーザデータの最終オクテットのシーケンス番号をｓｅｑＮｕｍフィールドに格納する。
【００８４】
パケット生成部１５７は、ＴＤＭＡ−ＴＤＤフレームのスロットタイミングに同期して、シンボルを生成する。送信すべきユーザデータが存在しない場合、パケット生成部１５７は、ｈｅａｄｅＲＦｏｒｍａｔフィールドに０を格納し、ａｃｋフィールドにａｃｋを格納する。
【００８５】
一方、送信すべきユーザデータが存在する場合、パケット生成部１５７は、ｈｅａｄｅＲＦｏｒｍａｔフィールドに１を格納し、送信すべきユーザデータをＬ２バッファ管理部１５５から受け取る。そして、パケット生成部１５７は、送信すべきユーザデータのオクテット数に応じたパディングビットを配置した後、ユーザデータを配置してパケットを生成する。
【００８６】
パケットを生成した後、パケット生成部１５７は、次に送信するｈｅａｄｅＲＦｏｒｍａｔをタイミングプロセッサ１３３に通知する。
【００８７】
ＣＲＣ計算部１５８は、シンボルを元にＣＲＣを計算し、パケットのＣＲＣフィールド内に格納する。ＣＲＣ演算は、ＩＴＵ−Ｔの勧告による次の生成多項式に従って実行される。
X１６+X１２+X５+１          ・・・（１）
【００８８】
（７） パワーアンプ制御動作
次に、無線通信端末１００におけるパワーアンプ１２９の制御動作について説明する。
【００８９】
パケット生成部１５７は、フォーマット種別、具体的には、ｈｅａｄｅｒＦｏｒｍａｔをタイミングプロセッサ１３３に通知する。タイミングプロセッサ１３３は、パケット生成部１５７によって通知されたｈｅａｄｅｒＦｏｒｍａｔに応じて、パワーアンプ１２９の動作タイミングを制御する。
【００９０】
図１０は、フォーマット１（ｈｅａｄｅｒＦｏｒｍａｔ＝１）の場合におけるパワーアンプ１２９の動作タイミングを示す図である。
【００９１】
図１０に示すように、フォーマット１（ｈｅａｄｅｒＦｏｒｍａｔ＝１）の場合では、タイミングプロセッサ１３３は、アップリンクスロット期間（５４０μｓ）中の略全体（５３０μｓ）においてパワーアンプ１２９をオンする。
【００９２】
図１１は、フォーマット２（ｈｅａｄｅｒＦｏｒｍａｔ＝０）の場合におけるパワーアンプ１２９の動作タイミングを示す図である。
【００９３】
図１１に示すように、フォーマット２（ｈｅａｄｅｒＦｏｒｍａｔ＝０）の場合では、タイミングプロセッサ１３３は、アップリンクスロット期間（５４０μｓ）中のユーザデータフィールドの期間（２００μｓ）においてパワーアンプ１２９をオフする。具体的には、タイミングプロセッサ１３３は、パワーアンプ１２９に対する電力供給を一時的に停止する。
【００９４】
タイミングプロセッサ１３３は、アップリンクスロット期間（５４０μｓ）中のトレーニングシーケンス期間、ａｃｋフィールドの期間、及びＣＲＣフィールドの期間においては、パワーアンプ１２９をオンする。これにより、トレーニングシーケンス、ａｃｋ及びＣＲＣ符号については、無線基地局２００に通常通り送信される。
【００９５】
（８） 無線基地局の構成
次に、無線基地局２００の構成について説明する。図１２は、無線基地局２００の構成を示す機能ブロック図である。
【００９６】
図１２に示すように、無線基地局２００は、アンテナ２１０、ＲＦ部２２０及び制御部２５０を備える。なお、無線基地局２００は、図示を省略する外部電源を電源として用いる。
【００９７】
ＲＦ部２２０は、サーキュレータ２２１、ＬＮＡ２２２、ミキサ２２３，２２４、ＡＤＣ２２５、ＤＡＣ２２６、ミキサ２２７，２２８、パワーアンプ２２９、ＶＣＴＣＸＯ２３０、ＲＦ ＰＬＬ２３１、ＩＦ ＰＬＬ２３２、及びタイミングプロセッサ２３３を備える。ＲＦ部２２０の構成については、上述した無線通信端末１００のＲＦ部１２０の構成と同様であるため、詳細な説明を省略する。
【００９８】
制御部２５０は、ベースバンドプロセッサ２５１、ＣＲＣ計算部２５２、パケット解析部２５３、上位層／Ｌ２部２５４、Ｌ２バッファ管理部２５５、シーケンス番号管理部２５６、パケット生成部２５７、ＣＲＣ計算部２５８、フォーマット検査部２５９及びフォーマット補完部２６０を備える。
【００９９】
以下、無線通信端末１００との相違点であるフォーマット検査部２５９及びフォーマット補完部２６０について説明する。
【０１００】
フォーマット検査部２５９は、受信したパケットの最初のビット（ｈｅａｄｅｒＦｏｒｍａｔフィールド）を検査し、１であればパケットをＣＲＣ計算部２５２に転送する。一方、ｈｅａｄｅｒＦｏｒｍａｔフィールドが０である場合、フォーマット検査部２５９は、パケットをフォーマット補完部２６０に転送する。
【０１０１】
フォーマット補完部２６０は、パケットの一部を０に置き換える。
【０１０２】
（９） フォーマット補完動作
次に、フォーマット補完部２６０の動作について詳細に説明する。
【０１０３】
フォーマット補完部２６０は、ｈｅａｄｅＲＦｏｒｍａｔ＝０（フォーマット２）の場合に、受信したパケットの一部を０に置き換える。
【０１０４】
ｈｅａｄｅＲＦｏｒｍａｔが０の場合には、上述したように、無線通信端末１００は、ユーザデータフィールドの期間において送信電力をオフしている。このため、無線基地局２００がユーザデータを受信すべき期間において、無線通信端末１００からのＲＦ信号が受信されない。したがって、図１３に示すように、当該期間においてＲＦ信号が増幅されず、各ビットの値（“０”又は“１”）が不定となることによってノイズとして認識される。
【０１０５】
フォーマット補完部２６０は、ｈｅａｄｅＲＦｏｒｍａｔが０の場合に、パケットの１３ビット目から６７ビット目まではノイズであるので、無線通信端末１００が生成したと推測されるユーザデータフィールドであるオールゼロに置き換える。
【０１０６】
このように、ノイズを０に置き換える事により、ＣＲＣ計算部２５２は、ｈｅａｄｅｒＦｏｒｍａｔフィールド及びａｃｋフィールドについて、誤り検出を実行可能となるので、信頼性の高いデータ伝送を維持できる。
【０１０７】
（１０） 無線通信システムの動作
次に、図１４及び図１５を用いて、上述した無線通信システムの動作について説明する。以下、（１０．１）無線通信端末の動作、（１０．２）無線基地局の動作、の順に説明する。
【０１０８】
（１０．１） 無線通信端末の動作
図１４は、無線通信端末１００の動作を示すフローチャートである。
【０１０９】
ステップＳ１０１において、図９に示したパケット生成部１５７は、無線基地局２００に送信すべきユーザデータが存在するか否かを判定する。無線基地局２００に送信すべきユーザデータが存在すると判定された場合、ステップＳ１０２の処理に進む。無線基地局２００に送信すべきユーザデータが存在しないと判定された場合、ステップＳ１０６の処理に進む。
【０１１０】
ステップＳ１０２〜ステップＳ１０５においては、上述したフォーマット１に従ったパケット生成処理が実行される。
【０１１１】
ステップＳ１０２において、パケット生成部１５７は、ｈｅａｄｅｒＦｏｒｍａｔフィールドに１を格納する。
【０１１２】
ステップＳ１０３において、パケット生成部１５７は、シーケンス番号管理部１５６からａｃｋを取得し、取得したａｃｋをａｃｋフィールドに格納する。
【０１１３】
ステップＳ１０４において、パケット生成部１５７は、シーケンス番号管理部１５６からｓｅｑＮｕｍを取得し、取得したｓｅｑＮｕｍをｓｅｑＮｕｍフィールドに格納する。
【０１１４】
ステップＳ１０５において、パケット生成部１５７は、Ｌ２バッファ管理部１５５からユーザデータを取得し、取得したユーザデータをユーザデータフィールドに格納する。
【０１１５】
ステップＳ１０６〜ステップＳ１０８においては、上述したフォーマット２に従った処理が実行される。
【０１１６】
ステップＳ１０６において、パケット生成部１５７は、ｈｅａｄｅｒＦｏｒｍａｔフィールドに０を格納する。
【０１１７】
ステップＳ１０７において、パケット生成部１５７は、シーケンス番号管理部１５６からａｃｋを取得し、取得したａｃｋをａｃｋフィールドに格納する。
【０１１８】
ステップＳ１０８において、パケット生成部１５７は、パケットの１３ビット目から６７ビット目までを０で埋める。
【０１１９】
ステップＳ１０９において、パケット生成部１５７は、ステップＳ１０２又はステップＳ１０６で設定したｈｅａｄｅｒＦｏｒｍａｔをタイミングプロセッサ１３３に通知する。
【０１２０】
ステップＳ１１０において、ＣＲＣ計算部１５８は、式（１）に従ってＣＲＣを計算し、計算して得られたＣＲＣ符号をＣＲＣフィールドに格納する。
【０１２１】
ステップＳ１１１において、ベースバンドプロセッサ１５１は、パケットにトレーニングシーケンスを設定する。
【０１２２】
ステップＳ１１２において、ベースバンドプロセッサ１５１は、トレーニングシーケンスが設定されたパケットをデジタル変調することで、送信ベースバンド信号を生成する。
【０１２３】
ステップＳ１１３において、ＤＡＣ１２６は、ステップＳ１１２で生成された送信ベースバンド信号をアナログ信号に変換する。
【０１２４】
ステップＳ１１４において、ミキサ１２７及びミキサ１２８は、ステップＳ１１３で得られたアナログ信号をＲＦ信号に変換する。
【０１２５】
ステップＳ１１５において、タイミングプロセッサ１３３は、ｈｅａｄｅｒＦｏｒｍａｔに応じてパワーアンプ１２９を制御する。パワーアンプ１２９は、ステップＳ１１４で得られたＲＦ信号を増幅し、増幅したＲＦ信号を、サーキュレータ１２１を介してアンテナ１１０から送出する。
【０１２６】
（１０．２） 無線基地局の動作
図１５は、無線基地局２００の動作を示すフローチャートである。
【０１２７】
ステップＳ２０１において、図１２に示した無線基地局２００は、無線通信端末１００からＲＦ信号を受信する。
【０１２８】
ステップＳ２０２において、ＬＮＡ２２２は、ステップＳ２０１で受信されたＲＦ信号を増幅する。
【０１２９】
ステップＳ２０３において、ミキサ２２３及びミキサ２２４は、ステップＳ２０２で増幅されたＲＦ信号をＩＦ信号（低周波信号）に変換する。
【０１３０】
ステップＳ２０４において、ＡＤＣ２２５は、ステップＳ２０３で得られた低周波信号をデジタル信号に変換する。
【０１３１】
ステップＳ２０５において、ベースバンドプロセッサ１５１は、ステップＳ２０４で得られた受信ベースバンド信号をデジタル復調し、受信パケットを得る。
【０１３２】
ステップＳ２０６において、フォーマット検査部２５９は、ステップＳ２０５で得られたパケットのｈｅａｄｅｒＦｏｒｍａｔフィールドに０が格納されているか否かを判定する。ｈｅａｄｅｒＦｏｒｍａｔフィールドに０が格納されている場合、ステップＳ２０７の処理に進む。一方、ｈｅａｄｅｒＦｏｒｍａｔフィールドに１が格納されている場合、ステップＳ２０８の処理に進む。
【０１３３】
ステップＳ２０７において、フォーマット補完部２６０は、パケットの１３ビット目から６７ビット目までを０で埋める。
【０１３４】
ステップＳ２０８において、ＣＲＣ計算部２５２は、ＣＲＣを計算し、パケットのＣＲＣフィールド内のＣＲＣ符号と比較する。
【０１３５】
ステップＳ２０９において、ＣＲＣ計算部２５２は、計算されたＣＲＣとＣＲＣフィールド内のＣＲＣ符号とが一致するか否かを判定する。計算されたＣＲＣとＣＲＣフィールド内のＣＲＣ符号とが一致すると判定された場合、ステップＳ２１２の処理に進む。一方、計算されたＣＲＣとＣＲＣフィールド内のＣＲＣ符号とが一致しないと判定された場合、ステップＳ２１０の処理に進む。
【０１３６】
ステップＳ２１０において、ＣＲＣ計算部２５２は、パケットを破棄して、その旨をパケット解析部２５３に通知する。
【０１３７】
ステップＳ２１１において、パケット解析部２５３及びシーケンス番号管理部２５６は、再送制御を実行する。
【０１３８】
ステップＳ２１２において、ＣＲＣ計算部２５２は、パケットに格納されているユーザデータ、ａｃｋ及びｓｅｑＮｕｍをパケット解析部２５３に転送する。
【０１３９】
（１１） 比較例
次に、本実施形態によって得られる効果を、比較例を挙げて明らかにする。
【０１４０】
図１６は、本比較例のアップリンクＵＬのパケット構成を示す図である。本比較例のアップリンクＵＬのパケット構成では、上述したフォーマット１に類似の構成であるが、ｈｅａｄｅｒＦｏｒｍａｔフィールドを有していない点で、上述したフォーマット１の構成とは異なっている。
【０１４１】
本比較例では、図１６に示すフォーマットのみを使用し、上述したフォーマット２の構成を使用しないため、消費電力を削減することができない。
【０１４２】
図１７は、無線通信端末１００アップリンク送信時における、送信すべきユーザデータが存在しない場合でのパワーアンプ制御タイミングを示す図である。
【０１４３】
図１７（ａ）は、本比較例のパワーアンプ制御タイミングを示し、図１７（ｂ）は、上述した実施形態に係るパワーアンプ制御タイミングを示している。
【０１４４】
図１７（ｂ）に示すように、送信すべきユーザデータが存在しない場合に、上述したフォーマット２を用いる事により、２００μｓの期間においてパワーアンプをオフし、電池１８１の消耗を抑えることができる。
【０１４５】
図１７（ａ）と図１７（ｂ）とを比較すると、上述した実施形態では、パワーアンプの消費電力を２００／５３０削減できる。
【０１４６】
無線通信端末１００において、パワーアンプ１２９が消費する消費電流は、無線通信端末１００全体の消費電流の多くを占めるため、無線通信端末１００の動作可能時間を増加させることができる。
【０１４７】
（１２） 作用・効果
無線通信端末１００は、無線基地局２００に送信すべきユーザデータが存在しないと判定された場合、パケット内のユーザデータフィールドに対応する期間においてパワーアンプ１２９への電力供給を停止するので、ユーザデータを送信すべき期間における消費電力が削減される。
【０１４８】
無線通信端末１００は、無線基地局２００に送信すべきユーザデータが存在しない場合、ｈｅａｄｅｒＦｏｒｍａｔに０を格納し、パディングビット（オールゼロ）及びａｃｋからＣＲＣ符号を算出する。無線基地局２００では、パディングビット（オールゼロ）を生成し、無線通信端末１００から受信したＣＲＣ符号を用いて、無線通信端末１００から受信したａｃｋ及びパディングビットに対して誤り検出を実行する。
【０１４９】
したがって、実質的にａｃｋについてのみ誤り検出を行うことができるので、ユーザデータを送信すべき期間において送信電力をオフする場合であっても、ａｃｋに対する誤り検出を正常に実行可能となる。
【０１５０】
［その他の実施形態］
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【０１５１】
上述した実施形態では、誤り検出としてＣＲＣを利用していたが、ＣＲＣに限らず、チェックサムやパリティチェックなど、他の誤り検出方式を利用してもよい。
【０１５２】
上述した実施形態では、送信すべきユーザデータが存在しない場合、無線通信端末１００及び無線基地局２００においてユーザデータフィールド（１３ビット目から６７ビット目）をオールゼロとしていたが、オールゼロに限らず、オール１などであってもよい。
【０１５３】
上述した実施形態では、送信すべきユーザデータが存在しない場合、パワーアンプ１２９への電力供給を停止していたが、パワーアンプ１２９への電力供給を通常時よりも減少させる構成としてもよい。
【０１５４】
また、パワーアンプ１２９だけでなく、ＤＡＣ１２６、ミキサ１２７及びミキサ１２８などへの電力供給を停止してもよい。これにより、無線通信端末１００の消費電力をさらに削減可能となる。
【０１５５】
上述した実施形態では、アップリンクＵＬの通信中における無線通信端末１００の消費電力を削減する構成について説明した。しかしながら、アップリンクＵＬに限らず、ダウンリンクＤＬの通信中における無線通信端末１００の消費電力を削減する構成に応用可能である。以下、ダウンリンクＤＬの通信中における無線通信端末１００の消費電力を削減する構成について簡単に説明する。
【０１５６】
図１８は、ダウンリンクパケット構成を示す図である。ダウンリンクパケットの全体長は１７６ビット固定とし、パケットヘッダのフォーマットは次のように規定する。
【０１５７】
ａｃｋ：既に受信を完了しているパケットのうち、欠落無く連続している最後尾のデータのシーケンス番号
ｓｅｑＮｕｍ：当該パケットのシーケンス番号全体を格納
また、ユーザデータが１５９ビット目を基準に後続データのＬＳＢから並べられ、空いたビットにはパディングビットで埋められる。なお、ダウンリンクのパケットは１６オクテットまでのユーザデータを運搬できる。
【０１５８】
１６０ビット目からは１６ビットのＣＲＣ符号が存在する。ＣＲＣは、０ビット目から１５９ビット目までのビット列に、１ビット長の０からなるビット列を付け加えて１６０ビット長に拡張したビット列に対して、１６ビットＣＲＣを適応した値が格納される。
【０１５９】
図１８の最下欄に示すように、送信すべきユーザデータが存在しない場合はすべて０（パディングビット）で埋められる。すべて０である期間において、ＬＮＡ１２２を制御し、受信電力をオフにする事によってさらに無線通信端末１００の消費電力を削減することができる。
【０１６０】
なお、上述した実施形態では、無線通信端末１００の消費電力を削減する一例について説明したが、無線基地局２００の消費電力を削減する構成としても構わない。
【０１６１】
このように本発明は、ここでは記載していない様々な実施形態等を包含するということを理解すべきである。したがって、本発明はこの開示から妥当な特許請求の範囲の発明特定事項によってのみ限定されるものである。
【図面の簡単な説明】
【０１６２】
【図１】本発明の実施形態に係る無線通信システムの概略構成図である。
【図２】図１に示した無線通信システムで用いられる通信フレームの構成を示す図である。
【図３】本発明の実施形態に係るアップリンクスロットのフォーマット１を示す図である。
【図４】本発明の実施形態に係るアップリンクスロットのフォーマット２を示す図である。
【図５】図３に示したフォーマット１におけるパケット構成を示す図である。
【図６】図４に示したフォーマット２におけるパケット構成を示す図である。
【図７】図５及び図６に示した各パケット構成を比較した図である。
【図８】本発明の実施形態に係るダウンリンクスロットのフォーマットを示す図である。
【図９】本発明の実施形態に係る無線通信端末の構成を示す機能ブロック図である。
【図１０】本発明の実施形態に係るフォーマット１（ｈｅａｄｅｒＦｏｒｍａｔ＝１）の場合におけるパワーアンプの動作タイミングを示す図である。
【図１１】本発明の実施形態に係るフォーマット２（ｈｅａｄｅｒＦｏｒｍａｔ＝０）の場合におけるパワーアンプの動作タイミングを示す図である。
【図１２】本発明の実施形態に係る無線基地局の構成を示す機能ブロック図である。
【図１３】本発明の実施形態に係るフォーマット補完動作を説明するための図である。
【図１４】本発明の実施形態に係る無線通信端末の動作を示すフローチャートである。
【図１５】本発明の実施形態に係る無線基地局の動作を示すフローチャートである。
【図１６】本発明の実施形態の比較例のアップリンクパケット構成を示す図である。
【図１７】本発明の実施形態に係る無線通信端末アップリンク送信時における、送信すべきユーザデータが存在しない場合でのパワーアンプ制御タイミングを示す図である。
【図１８】その他の実施形態に係るダウンリンクスロットにおけるパケット構成示す図である。
【符号の説明】
【０１６３】
１００…無線通信端末、１１０…アンテナ、１２０…ＲＦ部、１２１…サーキュレータ、１２２…ＬＮＡ、１２３，１２４，１２７，１２８…ミキサ、１２５…ＡＤＣ、１２６…ＤＡＣ、１２９…パワーアンプ、１３０…ＶＣＴＣＸＯ、１３１…ＲＦ  ＰＬＬ、１３２…ＩＦ  ＰＬＬ、１３３…タイミングプロセッサ、１４６…シーケンス番号管理部、１５０…制御部、１５１…ベースバンドプロセッサ、１５２…ＣＲＣ計算部、１５３…パケット解析部、１５４…上位層／Ｌ２部、１５５…バッファ管理部、１５６…シーケンス番号管理部、１５７…パケット生成部、１５８…ＣＲＣ計算部、１８１…電池、１８２，１８３…レギュレータ、２００…無線基地局、２１０…アンテナ、２２０…ＲＦ部、２２１…サーキュレータ、２２２…ＬＮＡ、２２３，２２４，２２７，２２８…ミキサ、２２５…ＡＤＣ、２２６…ＤＡＣ、２２９…パワーアンプ、２３０…ＶＣＴＣＸＯ、２３１…ＲＦ  ＰＬＬ、２３２…ＩＦ  ＰＬＬ、２３３…タイミングプロセッサ、２５０…制御部、２５１…ベースバンドプロセッサ、２５２…ＣＲＣ計算部、２５３…パケット解析部、２５４…上位層／Ｌ２部、２５５…バッファ管理部、２５６…シーケンス番号管理部、２５７…パケット生成部、２５８…ＣＲＣ計算部、２５９…フォーマット検査部、２６０…フォーマット補完部
【図１】
2008245130.tif 000003
【図２】
2008245130.tif 000004
【図３】
2008245130.tif 000005
【図４】
2008245130.tif 000006
【図５】
2008245130.tif 000007
【図６】
2008245130.tif 000008
【図７】
2008245130.tif 000009
【図８】
2008245130.tif 000010
【図９】
2008245130.tif 000011
【図１０】
2008245130.tif 000012
【図１１】
2008245130.tif 000013
【図１２】
2008245130.tif 000014
【図１３】
2008245130.tif 000015
【図１４】
2008245130.tif 000016
【図１５】
2008245130.tif 000017
【図１６】
2008245130.tif 000018
【図１７】
2008245130.tif 000019
【図１８】
2008245130.tif 000020